(57)【要約】【課題】バンドを掛け回し易く、しかもバンドの緩みを抑制できる蓋体及び該蓋体を備える容器を提供する。【解決手段】容器１は、開口部２Ａを有する発泡性合成樹脂製の容器本体２と、容器本体２の開口部２Ａを開閉するための発泡性合成樹脂製の蓋体３とを備えており、前記蓋体３は、平面状の天壁上面と該天壁上面の外周縁から下方に垂下する天壁外周側面とを有する板状の天壁３Ａと、該天壁上面の外周部に、外周部の周方向に離間して複数配置され且つ上面から上方に突出する凸条３Ｂとを備え、隣り合う凸条３Ｂ間の離間した領域は、容器本体２と天壁３Ａとを固定するバンドを掛け回すバンド掛部４であって、該バンド掛部４における天壁上面と天壁外周側面とは、天壁上面の外方に連設され、下方傾斜をなす湾曲凸面４１ｂと、該湾曲凸面の下端から外方に連設された平坦面４１ｃとによって連結されている。【選択図】図１
2014125270.tif 000002
【特許請求の範囲】
【請求項１】
容器本体の開口部を開閉するための発泡性合成樹脂製の蓋体であって、
平面状の天壁上面と該天壁上面の外周縁から下方に垂下する天壁外周側面とを有する板状の天壁と、該天壁上面の外周部に、外周部の周方向に離間して複数配置され且つ上面から上方に突出する凸条とを備え、
隣り合う凸条間の離間した領域は、容器本体と天壁とを固定するバンドを掛け回すバンド掛部であって、該バンド掛部における天壁上面と天壁外周側面とは、天壁上面の外方に連設され、下方傾斜をなす湾曲面と、該湾曲面の下端から外方に連設された平坦面とによって連結されていることを特徴とする蓋体。
【請求項２】
前記天壁は、平面視略矩形をなしており、前記凸条は、天壁の各辺における中央部で離間しており、該離間した領域が前記バンド掛部であることを特徴とする請求項１に記載の蓋体。
【請求項３】
請求項１又は２に記載の蓋体と、該蓋体によって開閉される開口部を有する発泡性合成樹脂製の容器本体とを備える容器。
【発明の詳細な説明】
【技術分野】
【０００１】
本発明は、容器本体の開口部を開閉するための発泡性合成樹脂製の蓋体、及び該蓋体を備える容器に関する。
【背景技術】
【０００２】
従来、この種の容器の蓋体としては、矩形板状の天壁と、天壁の上面外周部に、外周部の周方向に離間して複数配置され且つ上面から上方に突出する凸条とを備える蓋体が知られている（例えば特許文献１の図４参照）。この蓋体では、天壁の上面外周部で凸条の離間した領域は、容器本体と天壁とを固定するバンドを掛け回すバンド掛部になっている。
【０００３】
上記蓋体では、前記複数の凸条が前記上面外周部の周方向に沿うように枠状に配置されているので、板状の天壁の外周部の肉厚を厚くすることができて強度向上を図ることができる。更に、上記蓋体では、帯状のバンドを容器本体と蓋体（天壁）とに掛け回して両者を固定する際に、凸条同士の間のバンド掛部にバンドを掛け回すことができるので、バンドの容器本体又は天壁に対する水平方向の移動を、凸条で規制することができ、バンドが外れることを効果的に防止して、両者を確実に固定することができる。
【先行技術文献】
【特許文献】
【０００４】
【特許文献１】特開平８−５１８８８号公報
【発明の概要】
【発明が解決しようとする課題】
【０００５】
ところが、上記従来の蓋体にあっては、バンド掛部における天壁上面と天壁外周側面とが略直角な角をなして交わっている。よって、上記のようにバンドを容器本体と蓋体とに掛け回して両者を固定する際に、バンド掛部の上記角にてバンドを引っ張る方向が略水平方向から略垂直方向へと急に転換されるため、バンドの掛け回しがスムーズにできない可能性があり、改善の余地があった。
【０００６】
そこで、本発明は、上記問題に鑑みてなされたもので、バンドを容器本体と蓋体とに掛け回して両者を固定する際に、バンドを掛け回し易く、しかもバンドの緩みを抑制できる蓋体及び該蓋体を備える容器を提供することを課題とする。
【課題を解決するための手段】
【０００７】
本発明に係る蓋体は、上記課題を解決するためになされたもので、容器本体の開口部を開閉するための発泡性合成樹脂製の蓋体であって、平面状の天壁上面と該天壁上面の外周縁から下方に垂下する天壁外周側面とを有する板状の天壁と、該天壁上面の外周部に、外周部の周方向に離間して複数配置され且つ上面から上方に突出する凸条とを備え、隣り合う凸条間の離間した領域は、容器本体と天壁とを固定するバンドを掛け回すバンド掛部であって、該バンド掛部における天壁上面と天壁外周側面とは、天壁上面の外方に連設され、下方傾斜をなす湾曲面と、該湾曲面の下端から外方に連設された平坦面とによって連結されていることを特徴としている。
【０００８】
かかる構成からなる蓋体によれば、蓋体のバンド掛部における天壁上面と天壁外周側面との間が湾曲凸面と平坦面とで連結されているので、容器本体と蓋体とにバンドを掛け回す際に、湾曲凸面に対してはバンドがなじみ易い。しかも、バンドは湾曲凸面の上部分、及び、平坦面と天壁外周側面とにより形成される角部にてバンドの延びる方向が二段階で転換される。そして、前記角部にてバンドが折り曲げられたようになるため、バンドを長さ方向にずれにくくできる。
【０００９】
また、本発明の蓋体では、前記天壁は、平面視略矩形をなしており、前記凸条は、天壁の各辺における中央部で離間しており、該離間した領域が前記バンド掛部であるように構成することも可能である。
【００１０】
かかる構成からなる蓋体によれば、バンド掛部は、天壁の各辺における中央部に各々配置されているので、天壁の各辺におけるバンド掛部それぞれにバンドを掛け回すことができ、複数のバンドを交差させるようにして、蓋体を容器本体に対して確実に固定することができる。
【００１１】
また、本発明の容器は、上記蓋体と、該蓋体によって開閉される開口部を有する発泡性合成樹脂製の容器本体とを備えることを特徴としている。
【発明の効果】
【００１２】
本発明の蓋体及び容器によれば、蓋体のバンド掛部における天壁上面と天壁外周側面との間が湾曲凸面と平坦面とで連結されているので、容器本体と蓋体とにバンドを掛け回す際に、湾曲凸面に対してバンドがなじみ易く、しかも、湾曲凸面と角部にてバンドの延びる方向が二段階で転換されるためバンドを掛け回し易い。そして、平坦面と天壁外周側面とにより形成される角部にバンドが掛かることによりバンドを長さ方向にずれにくくできるため、バンドの緩みを抑制できるという効果を奏する。
【図面の簡単な説明】
【００１３】
【図１】本実施形態に係る容器の分解斜視図である。
【図２】同容器の分解状態の、左右方向中央における縦断面図である。
【図３】同容器の蓋体の要部拡大縦端面図である。
【図４】同容器にバンドを掛け回した状態の斜視図である。
【図５】（Ａ）は同容器にバンドを掛け回す途中の状態の要部拡大縦端面図であり、（Ｂ）は同容器にバンドを掛け回した後の状態の要部拡大縦端面図である。
【発明を実施するための形態】
【００１４】
以下、本発明に係る容器の一実施形態について、図１から図５を参照しつつ説明する。本実施形態の容器１は、魚（例えば、鯵や鯖等）を氷水とともに収納することができる箱型状に形成されている。
【００１５】
容器１は、図１及び図２に示すように、上端部に開口部２Ａを有する発泡性合成樹脂製の容器本体２と、容器本体２の開口部２Ａを閉じて密閉状態にするための発泡性合成樹脂製の蓋体３とを備える。尚、発泡性合成樹脂としては、特に限定されないが、例えば発泡ポリスチレン、発泡ポリエチレン、発泡ポリプロピレン等の各種発泡性合成樹脂が利用できる。また、容器１の短辺方向を左右方向とし、容器１の長辺方向を前後方向とする。
【００１６】
図２に示すように、容器本体２は、平面視略長方形に形成された板状の底壁２１と、底壁２１の外周縁から上方に立ち上げられた本体側壁２Ｂとを備えている。
【００１７】
底壁２１は、平面視略長方形に形成された平板状に形成されている。底壁２１の上面２１Ｕは容器本体２の底面に相当し、被搬送物を支持する面である。底壁２１の上面２１Ｕは平坦面である。底壁２１の上面２１Ｕの縁部には、上面２１Ｕから各側壁（内側面）に向かって上方に傾斜する傾斜部２１Ａが設けられている（図１、図２参照）。この傾斜部２１Ａの四隅には、水抜き用孔ａが設けられている（図１、図２参照）。この水抜き用孔ａは、複数の容器１，１を積み重ねた場合に、後述の貫通孔ｂに連通する。
【００１８】
また、図２に示すように、底壁２１の下面２１Ｌは、上面２１Ｕと平行な平坦面である。したがって、底壁２１の下面２１Ｌにおいて、その外周部２１ａは平坦な面である。前後方向の下面２１Ｌ外周縁の中央部側には、指を掛けて容器１を把持するための把持用凹部２１ｂが上方に向けて形成されている。また、外周部２１ａの四隅には、本体側壁２Ｂの上面から貫通する貫通孔ｂが設けられている。外周部２１ａの外周縁から所定距離だけ内側の部分には、外周部２１ａの周方向に沿って、底面２１Ｌから下方に突出した突出部２１Ｔが形成されている。この突出部２１Ｔは、底壁２１の各長辺の縁部に沿って形成される一対の左右突出部２４，２４と、底壁２１の各短辺の縁部に沿って形成される一対の前後突出部２５，２５とを備える。かかる突出部２１Ｔの下面は平坦な面であり、下面が床面等に接するようになっている。
【００１９】
本体側壁２Ｂは、底壁２１の上面２１Ｕの外周縁部（傾斜部２１Ａ上端）から上方に立ち上げられており、矩形枠状に形成されている。具体的には、本体側壁２Ｂは、底壁２１の各長辺の縁部から上方に立ち上げられた左右側壁２２，２２と、底壁２１の各短辺の縁部から上方に立ち上げられた前後側壁２３，２３とを備える。
【００２０】
左右側壁２２，２２の外面は、下方側ほど（底壁２１の上面２１Ｕ側に近付くほど）内側となる傾斜面に形成されている。また、左右側壁２２，２２の厚み方向内面（以下単に、内面と称する）は、下方側ほど内側となる傾斜面に形成されている。このような傾斜面は、製造金型の抜き勾配によって得られ、製造金型に対する容器本体２の離型性を確保するために、製造金型によって傾斜して形成される。尚、前記傾斜面の傾斜角度は１°に設定されているため、図面上では把握でき難い。また、左右側壁２２，２２と前後側壁２３，２３とが交わる角部には、上面から底壁下面２１Ｌまで上下方向に貫通する貫通孔ｂが設けられている。
【００２１】
このような容器本体２では、前後左右の本体側壁２Ｂの上端に囲まれた内側領域が開口部２Ａとして構成されている。この開口部２Ａは、開口部２Ａに対して着脱自在に構成される蓋体３によって自在に開放或いは閉塞されるようになっている。
【００２２】
蓋体３は、図１及び図２に示すように、平面視略長方形（多角形状の一例）に形成された板状の天壁３Ａと、天壁３Ａの下面外周部に沿って枠状に形成される嵌合用凸条３ａとを備えている。この蓋体３の四隅には、貫通孔ｃが上下方向に貫通している。
【００２３】
天壁３Ａは、平面状の上面（表面）３Ｕと、上面外周縁から下方に垂下する外周側面３Ｓと、平面状の下面（底面又は裏面）３Ｌとを有する。図２に示すように、天壁３Ａの上面３Ｕは、平坦な面をなしており、上面３Ｕの外周部（具体的には、外周縁）には、天壁３Ａの周方向に離間して複数配置され且つ上面３Ｕから上方に突出する蓋体補強用の補強用凸条部３Ｂが、天壁３Ａと一体的に形成されている。
【００２４】
補強用凸条部３Ｂは、天壁３Ａの上面外周部の周方向に離間して複数個、枠状に配置されている。具体的には、補強用凸条部３Ｂは、天壁３Ａの上面３Ｕ外周部の前後方向に対向する各短辺の中央側と、天壁３Ａの上面３Ｕ外周部の左右方向に対向する各長辺の中央側とにおいて、所定距離を置くようにして、複数配置されている（図１参照）。より詳細には、補強用凸条部３Ｂは、各短辺において、その外縁の左右方向中央部に間隔ができるように離間して複数（本実施形態では、２つ）配置される。また、補強用凸条部３Ｂは、各長辺において、その外縁の前後方向中央部に間隔ができるように離間して複数（本実施形態では、２つ）配置される。即ち、補強用凸条部３Ｂは、天壁３Ａの上面３Ｕ外周部の前後方向に対向する各短辺の両端部に互いに離間した凸条部を各々有する。また、補強用凸条部３Ｂは、天壁３Ａの上面３Ｕ外周部の左右方向に対向する各長辺の両端部に互いに離間した凸条部を各々有する。この補強用凸条部３Ｂでは、短辺と長辺との端部に形成される凸条部は、天壁３Ａの周方向に沿って連設されている。そして上面３Ｕ外周部において補強用凸条部３Ｂどうしに挟まれた領域（即ち、隣り合う凸条部３Ｂ，３Ｂ間の離間した領域）は、容器本体２と蓋体３を一体化するためのバンドＴ（図４のＴ参照）を容器１の長辺方向、短辺方向に掛けるためのバンド掛部４とされている。
【００２５】
バンド掛部４は、図４に示すように、容器本体２と天壁３Ａとを固定するバンドＴを掛け回すべく、凹状をなしており、凹下面４１と凹側面４２とから構成される。バンド掛部４の凹下面４１は、少なくとも一部が蓋体３外方に向かって下方傾斜するように設けられている。バンド掛部４の凹下面４１は、図３に示すように、平坦な第１下面４１ａと、第１下面４１ａの外方に連設され、下方傾斜をなす湾曲面（湾曲凸面）である第２下面４１ｂと、第２下面４１ｂの下端４１ｆから外方に連設された平坦面である第３下面４１ｃとを有する。この第３下面４１ｃからは、第１側面４１ｄが垂下している。
【００２６】
第１下面４１ａは、略矩形平面をなしている。この第１下面４１ａは、天壁３Ａの平坦な上面３Ｕと面一であり、天壁３Ａの上面３Ｕの一部である。第１側面４１ｄは、略矩形平面をなしている。この第１側面４１ｄは、天壁外周側面３Ｓと面一であり、天壁外周側面３Ｓの一部である。
【００２７】
第２下面４１ｂは、蓋体３の長辺に沿う縦断面形状が等しい、図示のように斜め上向きに凸とされた湾曲凸面である。この第２下面４１ｂは、第１下面４１ａ（天壁上面３Ｕ）から第３下面４１ｃに向かって下方に傾斜しつつ斜め上向きに凸とされており、前記各面を連結する傾斜面である。換言すれば、第２下面４１ｂは、第１下面４１ａ（天壁上面３Ｕ）の端縁に対応する部分の角を丸めたアール部とされている。
【００２８】
第３下面４１ｃは、長辺が蓋体３の長辺に沿う、矩形状の水平な平坦面である。この第３下面４１ｃは、第２下面４１ｂの下端から第１側面４１ｃ（天壁外周側面３Ｓ）の上端に向かい、両者を連結する平坦面である。そして、第３下面４１ｃの外端４１ｇは略直角な角部となっている。
【００２９】
本実施形態のバンド掛部４では、第１下面４１ａは、補強用凸条部３Ｂの内周縁から補強用凸条部３Ｂの幅方向の途中部（具体的には、幅方向の略中央）まで形成されている。第２下面４１ｂの上端４１ｅは、補強用凸条部３Ｂの幅方向の途中部（具体的には、幅方向の略中央）に位置する。第２下面４１ｂの下端４１ｆは、天壁外周側面３Ｓの幅方向の途中部に位置する。尚、第２下面４１ｂは、湾曲凸面（アール面）であるが、そのアールの曲率は一定に限られず、異なる曲率が組み合わされた湾曲凸面（アール面）とされることも可能である。
また、第３下面４１ｃは、本実施形態では水平な平坦面であるが、第２下面４１ｂの下端４１ｆから外方に向かって上方または下方に傾斜する平坦面であっても良い。また、第３下面４１ｃの外端４１ｇに角部が形成されることを条件として、第３下面４１ｃが湾曲面とされていても良い。また、本実施形態では、第３下面４１ｃの外端４１ｇの角部は略直角であるが、鋭角や鈍角であっても良い。また、第２下面４１ｂの上端４１ｅの位置は、補強用凸条部３Ｂの幅方向の任意の位置に設定することが可能であり、例えば補強用凸条部３Ｂの内周縁側の位置に設定することも可能である。
【００３０】
バンド掛部４の凹側面４２は、図１、図２に示すように、補強用凸条部３Ｂの辺方向（前後方向又は左右方向）に沿って対向する一対の側面である。凹側面４２は、上方に向かうほど互いに離れる傾斜面で構成されている。具体的には、凹側面４２は、凹下面４１を挟んで対向する補強用凸条部３Ｂの辺方向両側面を、上方に向かうほど互いに離れる傾斜面として形成されている。即ち、補強用凸条部３Ｂの辺方向側面は、補強用凸条部３Ｂの上面から凹下面４１に向けて、辺方向（周方向）に沿って下方傾斜する傾斜面をなしている。
【００３１】
かかるバンド掛部４は、天壁３Ａの長辺に１つ、短辺に１つ形成されている。このバンド掛部４では、対向する辺に形成されたバンド掛部４同士が相対向するように構成されている。具体的には、バンド掛部４は、天壁３Ａの各短辺の中央部のバンド掛部４同士が相対向し、天壁３Ａの各長辺の中央部のバンド掛部４同士が相対向するように天壁３Ａに形成されている。
【００３２】
天壁３Ａの下面３Ｌには、天壁３Ａ外周縁から所定距離だけ内側の外周部に、天壁３Ａの外周全周に亘って形成される嵌合用凸条３ａが設けられている。また、直接的には図示していないが、嵌合用凸条３ａに囲まれた内側領域（中央部）に略十字形状に形成され、嵌合用凸条３ａよりも下向き突出量が小さい（少ない）内側凸条が設けられている。
【００３３】
嵌合用凸条３ａは、天壁３Ａの下面３Ｌから下向きに突出した枠状（具体的には矩形枠状）に形成されている。具体的には、嵌合用凸条３ａは、容器本体２の開口部２Ａに嵌合可能となるように、天壁３Ａの下面外周部全域に亘って連続した枠状に形成される嵌合用の凸条である。
【００３４】
以上の構成からなる容器１では、容器本体２の開口部２Ａに対して、蓋体３の嵌合用凸条３ａを嵌合することで、容器本体２の開口部２Ａが蓋体３で覆われて、蓋体３が容器本体２に密閉状態で装着される。蓋体３を容器本体２に嵌合するとき、蓋体３の嵌合用凸条３ａが容器本体２の開口部２Ａ外周（本体側壁２Ｂの上端内周縁）に沿って嵌合される。このように容器本体２の開口部２Ａを蓋体３で閉塞した密閉状態の容器１には、図４に示すように、容器本体２と蓋体３とに掛け回して両者を固定するバンドＴが装着される。本実施形態のバンドＴは、２本で構成され、各バンドＴは、環状或いは帯状に構成されている。本実施形態では、バンドＴは、天壁３Ａの長辺の中央側と短辺の中央側とに掛け回される。ここで、バンド掛部４にバンドＴを掛け回す際には、バンドＴは、凹下面４１に対して掛け回される。尚、バンドＴが凹下面４１から外れた場合であっても、バンド掛部４の凹側面４２の傾斜面に沿って凹下面４１に案内されることになる。
【００３５】
そしてバンドＴは、図５（Ａ）に示すように、凹下面４１の第２下面４１ｂの湾曲凸面（アール面）のほぼ上半分に沿うように湾曲し、バンドＴを掛け回す方向（バンドＴの長さ方向）にスムーズに掛け回される。そしてこのバンドＴは、図５（Ｂ）に示すように、第２下面４１ｂのほぼ下半分では該第２下面４１ｂから浮き上がり、かつ、第３下面４１ｃの外端４１ｇの角部に当接した状態となる。このバンドＴが浮き上がった部分では、第３下面４１ｃの外端４１ｇを通る方向であり、かつ、第２下面４１ｂを構成するアールの接線方向にバンドＴが延びる。そして、バンドＴはこの外端４１ｇの角部を境に、延びる方向が略垂直下方向へと転換する。このように延びる方向が角部で転換することから、該角部にてバンドＴが折り曲げられたようになる。このため、該角部にてバンドＴが長さ方向にずれにくくなり、バンドＴに緩みが発生しにくい。
【００３６】
以上、本実施形態に係る容器１及び蓋体３によれば、蓋体３のバンド掛部４における天壁上面３Ｕと天壁外周側面３Ｓとの間に、湾曲凸面である第２下面４１ｂと平坦面である第３下面４１ｃとが存在しているので、容器本体２と蓋体３とにバンドＴを掛け回す際に、第２下面４１のほぼ上半分に対しては、図５（Ａ）に示すようにバンドＴが掛けられるためバンドＴがなじみ易い。しかも、バンドＴを引っ張る方向は、図５（Ｂ）に示すように、まず第２下面４１のほぼ上半分で斜め下方に転換され、次に、第３下面４１ｃの外端４１ｇの角部で略垂直方向（下方向）に転換される。つまり、方向が二段階で転換される。このため、従来のように、バンドＴを引っ張る方向が一段階で（急に）略直角へと転換される構成に比べ、バンドＴの掛け回しをスムーズにできる。しかも前記角部を境にバンドＴの延びる方向が転換することから、バンドＴの緩みを抑制できる。
【００３７】
かかる構成からなる容器１及び蓋体３によれば、蓋体３のバンド掛部４は、天壁３Ａの長辺及び短辺における各中央部に配置されているので、図４に示すように、天壁３Ａの長辺と短辺の各中央にそれぞれバンドＴを十字交差するように掛け回すことができ、複数（本実施形態では２本）のバンドＴを用いて、蓋体３を容器本体２に対して確実に固定することができる。
【００３８】
また、かかる容器１及び蓋体３によれば、蓋体３のバンド掛部４の凹側面４２は、上方に向かうほど互いに離れる傾斜面で構成されているので、バンドＴをバンド掛部４に掛け回す際に、前記傾斜面がバンドＴを凹下面４１側へ確実に案内することができ、バンドＴの装着作業を迅速に行うことができる。
【００３９】
尚、本発明は、前記実施形態に限定されるものではなく、本発明の要旨を逸脱しない範囲で種々の変更が可能である。
【００４０】
前記実施形態では、対向する辺に形成されたバンド掛部４同士は、相対向するように構成される場合について説明したが、これに限らず、対向する辺に形成されたバンド掛部４同士は、相対向しないように辺上で位置を互いにずらせて構成することができる。
【００４１】
また、蓋体３の長辺に形成されるバンド掛部４のみ、又は、蓋体３の短辺に形成されるバンド掛部４のみにバンドＴを装着することもできる。
【００４２】
また、前記実施形態では、容器本体２や蓋体３は平面視略長方形で構成する場合について説明したが、これに限らず、容器本体２や蓋体３は平面視略正方形状や平面視多角形状に構成することができる。
【００４３】
また、前記実施形態では、天壁３Ａの各辺に１つのバンド掛部４を形成する場合について説明したが、これに限らず、蓋体３の大きさによっては、２つ以上のバンド掛部４を天壁３Ａの長辺又は短辺に形成することができる。また、バンド掛部４を天壁３Ａの短辺に形成しないことも可能である。
【００４４】
また、前記実施形態では、バンド掛部４の凹側面４２を、上方に向かうほど互いに離れる傾斜面に形成する場合について説明したが、これに限らず、バンド掛部４の凹側面４２を垂直面に形成してもよい。
【００４５】
また、前記実施形態では、嵌合用凸条３ａは、天壁３Ａの下面外周部全域に亘って連続する枠状に形成される場合について説明したが、これに限らず、嵌合用凸条３ａは、天壁３Ａの下面外周部の周方向に離間して複数個、枠状に配置することもできる。特に、複数の嵌合用凸条３ａを矩形枠状に配置する場合には、矩形枠状の四隅で嵌合用凸条３ａ同士が離間するように配置することもできる。
【００４６】
また、複数の嵌合用凸条３ａは、矩形枠状のうち、直線部の一部（例えば中央部、又は両端部、又は中央部と両端部との間の部分）で離間するように配置することもできる。例えば、嵌合用凸条３ａは、長辺の両端部と短辺とに凸条を有し、四隅で該凸状同士が連設されて構成されることや、短辺の両端部と長辺とに凸条を有し、四隅で該凸状同士が連設されて構成されることや、直線部（長辺と短辺と）の両端部に凸条を有し、四隅で該凸状同士が連設されて構成されることが可能である。若しくは、嵌合用凸条３ａは、直線部の中央部にのみ凸条を有する構成でもよい。また、嵌合用凸条３ａは、複数の凸条からなり、直線部（長辺及び短辺）の中央部と両端部とに凸条を有し、長辺の端部の凸条が短辺の端部の凸条に連設されて構成されることができる。
【符号の説明】
【００４７】
１…容器、２…容器本体、２Ａ…開口部、２Ｂ…本体側壁、３…蓋体、３Ａ…天壁、３Ｂ…凸条（補強用凸条部）、３Ｕ…天壁上面（上面）、３Ｓ…天壁外周側面（外周側面）、３ａ…嵌合用凸条、４…バンド掛部、２１…底壁、２１Ａ…傾斜部、２１Ｔ…突出部、２１ａ…外周縁、２１ｂ…把持用凹部、２２…左右側壁、２３…前後側壁、４１…凹下面、４１ａ…第１下面、４１ｂ…湾曲凸面（第２下面）、４１ｃ…平坦面（第３下面）、４１ｄ…第１側面、４２…凹側面、ａ，ｂ，ｃ…孔、Ｔ…バンド
【図１】
2014125270.tif 000003
【図２】
2014125270.tif 000004
【図３】
2014125270.tif 000005
【図４】
2014125270.tif 000006
【図５】
2014125270.tif 000007